(57)【要約】【課題】複雑な情報提示操作が不要であり、利用者が感覚的に認識可能な態様で情報を提示することができる情報提示装置および情報提示方法を提供する。【解決手段】取得条件に合う情報を外部から取得するデータ取得部４１０と、取得条件の入力を受け付けてデータ取得部４１０に設定する条件設定部４０と、データ取得部４１０により取得された情報を解析してあらかじめ想定した内容のいずれであるかを判別するテキスト解析部４１１と、想定される情報内容とこれに対応する色の表示態様とが関連付けられたテーブルデータを参照してテキスト解析部４１１により判別された内容に対応する色の表示態様を決定し、この表示態様となるようにデータ提示部５による色の表示を制御する情報提示制御部４１２とを備える。【選択図】図１
2015018305.tif 000002
【特許請求の範囲】
【請求項１】
取得条件に合う情報を外部から取得する取得部と、
前記取得条件の入力を受け付けて前記取得部に設定する設定部と、
前記取得部により取得された情報を解析してあらかじめ想定した内容のいずれであるかを判別する解析部と、
想定される情報内容とこれに対応する色の表示態様とが関連付けられたテーブルデータを参照して、前記解析部により判別された内容に対応する色の表示態様を決定し、この表示態様となるように提示部による色の表示を制御する制御部とを備える情報提示装置。
【請求項２】
前記提示部は、車内の運転席から画面が視認可能な位置に配置された表示装置であり、
前記制御部は、前記表示装置による色の表示を制御することを特徴とする請求項１記載の情報提示装置。
【請求項３】
前記表示装置は、インストルメントパネル画像を表示する表示装置であり、
前記制御部は、前記インストルメントパネル画像における計器類の色を制御することを特徴とする請求項２記載の情報提示装置。
【請求項４】
前記制御部は、前記表示装置の背景画面の一部または全面の色を制御することを特徴とする請求項２記載の情報提示装置。
【請求項５】
前記提示部は、車内に持ち込みまたは搭載したナビゲーション装置の表示装置であり、
前記制御部は、この表示装置に表示されているナビゲーション画面を構成する画像の色を制御することを特徴とする請求項２記載の情報提示装置。
【請求項６】
前記取得部は、天気情報、試合の勝敗情報および駐車場の空き情報のうちの少なくとも一つを取得することを特徴とする請求項１記載の情報提示装置。
【請求項７】
前記取得部は、データ放送、ラジオ放送、交通情報およびインターネット配信のうちの少なくとも一つから情報を取得することを特徴とする請求項１記載の情報提示装置。
【請求項８】
前記提示部は、車内の運転席から視認可能な位置に配置された発光素子であり、
前記制御部は、前記発光素子による発光色の点灯パターンを制御することを特徴とする請求項１記載の情報提示装置。
【請求項９】
表示装置による色の表示を制御して情報を提示する情報提示方法であって、
設定部が、取得条件の入力を受け付けるステップと、
取得部が、前記設定部が設定した取得条件に合う情報を外部から取得するステップと、
解析部が、前記取得部により取得された情報を解析してあらかじめ想定した内容のいずれであるかを判別するステップと、
制御部が、想定される情報内容とこれに対応する色の表示態様とが関連付けられたテーブルデータを参照して、前記解析部により判別された内容に対応する色の表示態様を決定し、この表示態様となるように前記表示装置による色の表示を制御するステップとを備える情報提示方法。
【発明の詳細な説明】
【技術分野】
【０００１】
この発明は、データ放送などの外部から取得された情報を提示する情報提示装置および情報提示方法に関する。
【背景技術】
【０００２】
特許文献１には、所定時間ごとに所定周波数の間で周波数を変えながらチャンネルスキャンを行い、チャンネルスキャンにより選択された少なくとも１つ以上のデジタル放送局からデータ放送コンテンツを取得するデジタル放送受信装置が開示されている。
また、このデジタル放送受信装置では、利用者に設定された条件に対応するデータ放送コンテンツを優先して表示する。
このようにすることで、車両の移動中に受信可能なデジタル放送局から、車両の位置に応じて必要となるデータ放送コンテンツを効率よく取得して表示することができる。
【先行技術文献】
【特許文献】
【０００３】
【特許文献１】特開２０１１−８２８０４号公報
【発明の概要】
【発明が解決しようとする課題】
【０００４】
デジタルテレビ放送で配信されるデータ放送の内容を画面上に表示するには、一般的にリモートコントローラの“データ放送ボタン”を押下してメニュー画面を表示し、さらにメニュー画面から所望の項目のデータを選択する必要がある。
このようにデータ放送コンテンツを画面に表示するまで上記操作に注力する必要があるため、車両を運転中の利用者では、上記操作を行うことができず、データ放送コンテンツを見ることができないという課題があった。
【０００５】
また、特許文献１に代表される従来の技術では、利用者によって設定された条件に対応するデータ放送コンテンツが優先して自動で表示される。
しかしながら、データ放送コンテンツの表示態様は、コンテンツ内容を示す文字や画像を画面に表示するものである。このため、車両を運転中であっても、運転者がコンテンツ内容を理解するには上記文字や画像を視認する必要があり、運転者の注意が画面に向けられて運転に支障をきたす恐れがあった。
【０００６】
この発明は、上記のような課題を解決するためになされたもので、情報を提示するための複雑な操作が不要で、利用者が感覚的に認識可能な態様で情報を提示することができる情報提示装置および情報提示方法を得ることを目的とする。
【課題を解決するための手段】
【０００７】
この発明に係る情報提示装置は、取得条件に合う情報を外部から取得する取得部と、取得条件の入力を受け付けて取得部に設定する設定部と、取得部により取得された情報を解析してあらかじめ想定した内容のいずれであるかを判別する解析部と、想定される情報内容とこれに対応する色の表示態様とが関連付けられたテーブルデータを参照して、解析部により判別された内容に対応する色の表示態様を決定し、この表示態様となるように提示部による色の表示を制御する制御部とを備える。
【発明の効果】
【０００８】
この発明によれば、情報を提示するための複雑な操作が不要で、利用者が感覚的に認識可能な態様で情報を提示することができるという効果がある。
【図面の簡単な説明】
【０００９】
【図１】この発明の実施の形態１に係る情報提示装置の構成を示すブロック図である。
【図２】情報の取得条件の設定処理の一例を示す図である。
【図３】実施の形態１に係る情報提示装置の動作を示すフローチャートである。
【図４】実施の形態１における情報提示の一例を示す図である。
【図５】実施の形態１における情報提示の別の例を示す図である。
【図６】この発明の実施の形態２に係る情報提示装置の構成を示すブロック図である。
【図７】実施の形態２に係る情報提示装置の動作を示すフローチャートである。
【図８】実施の形態２における情報提示の一例を示す図である。
【図９】この発明の実施の形態３に係る情報提示システムの概要を示す図である。
【発明を実施するための形態】
【００１０】
実施の形態１．
地上波デジタルテレビ放送（以下、地デジ放送と記載する）には、動画映像および音声による地デジの番組放送と同時にニュースや天気予報、番組情報などのデータを配信するデータ放送が含まれている。
従来では、データ放送の内容を画面表示する場合、利用者が表示させたいデータ項目があらかじめ決まっていても、リモコンのデータ放送ボタンを押下して表示させたメニュー画面からデータ項目を選択する手順が一般的である。このため、利用者が車両を運転中の場合、データ放送の内容を提示させる操作を行うことができない。
【００１１】
そこで、この発明では、車両の運転前に、取得したい情報の取得条件をあらかじめ設定しておき、この取得条件に合った情報を自動で取得する。
さらに、取得した情報の内容を文字や画像で表現して提示すると、情報提示操作を行う場合と同様に運転者の注意が画面に向いてしまう可能性があるため、情報の内容に応じた色の表示態様で提示する。例えば、ダッシュボードに搭載されてインストルメントパネル画像を表示する表示装置に情報提示を行う場合、データの内容に応じてインストルメントパネル画像における計器類の色を制御する。
このようにすることで、複雑な操作が不要となり、データ内容を利用者が感覚的に認識することができ、運転などに注力することができる。
【００１２】
図１は、この発明の実施の形態１に係る情報提示装置の構成を示すブロック図である。図１に示すように、情報提示装置１は、移動体（例えば、車両）に搭載され、地デジ放送のデータ放送を受信してその内容を提示する情報提示装置であり、アンテナ２、放送受信部３、演算処理部４、データ提示部５および通信部６を備えて構成される。
放送受信部３は、アンテナ２によって受信された地デジ放送の放送波から、音声、映像およびデータ放送を再生する受信系統であり、フロントエンド部３０、ＭＰＥＧデコード部３１、音声データ部３２、映像データ部３３およびデータ放送部３４を備える。
【００１３】
フロントエンド部３０は、アンテナ２により受信された放送波信号をＴＳ（Ｔｒａｎｓｐｏｒｔ  Ｓｔｒｅａｍ）信号に変換する。ＭＰＥＧデコード部３１は、フロントエンド部３０が変換したＴＳ信号をデコードし、地デジ放送番組の音声データおよび映像データとデータ放送データの３つを抽出する。ここで、音声データは、音声データ部３２に出力され、映像データは、映像データ部３３に出力され、データ放送データは、データ放送部３４に出力される。
【００１４】
音声データ部３２は、ＭＰＥＧデコード部３１から入力した音声データを再生して音声出力装置（不図示）で音声出力する。
映像データ部３３は、ＭＰＥＧデコード部３１から入力した映像データを再生して表示装置（不図示）に表示する。この表示装置をデータ提示部５として機能させてもよい。
データ放送部３４は、上述したデータ放送の内容を画面表示するための操作に応じて、ＭＰＥＧデコード部３１から入力したデータ放送データを表示装置に表示する。
【００１５】
演算処理部４は、放送受信部３により受信されたデータ放送データのうち、あらかじめ設定された取得条件に合うデータ放送データを取得し、その内容に応じた色の表示態様でデータ提示部５に表示する。また、演算処理部４は、条件設定部４０およびデータ解析部４１を備えて構成される。
なお、演算処理部４として車載器のＣＰＵを機能させる場合、例えば、条件設定部４０およびデータ解析部４１は、車載器のＣＰＵが、この発明の趣旨に従うプログラムを実行することで、ハードウェアとソフトウェアとが協働した具体的な手段として実現される。
【００１６】
条件設定部４０は、取得条件の入力を受け付けてデータ取得部４１０に設定する設定部であり、タッチパネル、ハードウェアキーおよび音声認識などによって取得条件の入力を受け付ける。条件設定部４０で受け付ける取得条件は、あらかじめ複数の経過内容が想定可能な情報を特定するための条件であり、例えば、晴れ、曇り、雨、雪などといった経過内容が想定可能な天気情報を取得する場合であれば、ジャンルとして“天気”を設定し、続いて天気を知りたい場所を設定する。なお、取得条件の設定については、図２を用いて後述する。
【００１７】
データ解析部４１は、取得条件に従って取得した情報を解析して、あらかじめ想定した内容のいずれであるかを判別し、この内容に応じてデータ提示部５による色の表示を制御する。その機能構成として、データ取得部４１０、テキスト解析部４１１および情報提示制御部４１２を備える。
【００１８】
データ取得部４１０は、条件設定部４０から設定された取得条件に合う情報を外部から取得する取得部である。図１の場合、データ取得部４１０は、データ放送部３４によって保持されたデータ放送データのうち、取得条件に合ったデータ放送データを選別して取得する。例えば、取得条件として設定されたジャンルに基づいてデータ放送データに含まれるジャンル情報を検索し、取得条件のジャンルに合ったデータ放送データを取得する。
また、データ取得部４１０は、通信部６を介してインターネットから、取得条件に合う情報を取得する。
【００１９】
テキスト解析部４１１は、データ取得部４１０が取得した情報を解析して、あらかじめ想定した内容のいずれであるかを判別する解析部である。
例えば、テキスト解析部４１１がデータ放送データをテキスト解析し、解析結果として得られたテキストデータがあらかじめ想定される内容のいずれに該当するかを判別する。
【００２０】
情報提示制御部４１２は、データ提示部５による色の表示を制御する制御部であって、テキスト解析部４１１により判別されたテキストデータの内容に応じて、データ提示部５による色の表示態様を制御する。
例えば、情報提示制御部４１２は、あらかじめ想定される経過内容とこれに対応する色の表示態様とが関連付けられたテーブルデータを参照して、解析結果のテキストデータの内容に対応する色の表示態様を特定し、この表示態様でデータ提示部５による色の表示を制御する。
【００２１】
データ提示部５は、少なくとも色の表示が可能なハードウェアを含んで構成される提示部であり、例えば、複数の色の表示が可能な表示装置、あるいは発光色の点灯パターンを制御可能なＬＥＤなどの発光素子で実現することができる。
また、データ提示部５を構成する表示装置は、車内の運転席から画面が視認可能な位置に配置された表示装置であればよいが、例えば、ダッシュボードに搭載されてインストルメントパネル画像を表示する表示装置が挙げられる。
【００２２】
通信部６は、インターネットなどの通信ネットワークに接続する外部サイトと通信する通信部である。外部サイトとしては、Ｗｅｂサーバが管理する一般的な情報検索サイトが挙げられる。データ取得部４１０は、通信部６を介して、通信ネットワークの外部サイトにアクセスして取得条件を検索キーとして情報を検索し、検索結果の情報を取得する。
【００２３】
図２は、情報の取得条件の設定処理の一例を示す図である。条件設定部４０は、情報の取得条件を設定するための設定用画面を表示装置（例えば、データ提示部５を構成する表示装置）に表示し、この設定用画面に基づいて入力装置を用いた取得条件の設定入力を受け付けるＨＭＩ（Ｈｕｍａｎ  Ｍａｃｈｉｎｅ  Ｉｎｔｅｒｆａｃｅ）を提供する。
取得条件の設定タイミングは、利用者による車両の運転前であればよく、停車していた車両のエンジンをオンしたタイミングなどが考えられる。
【００２４】
設定用画面としては、例えば、図２に示した、“天気”、“スポーツ”、“占い”・・・といったジャンルを選択項目として表示する。これらのジャンルは、あらかじめ複数の経過内容が想定可能な情報のジャンルである。すなわち、ジャンル“天気”で特定される天気情報においては、“晴れ”、“曇り”、“雨”、“雪”のように経過内容が想定できる。また、ジャンル“スポーツ”で特定される試合の勝敗情報においては、応援側を基準として“勝ち”、“負け”、“引き分け”というように経過内容が想定できる。
【００２５】
条件設定部４０には、上述したような複数のジャンルと各ジャンルで特定される情報で想定可能な経過内容があらかじめ設定されており、条件設定部４０は、これらのジャンルを設定用画面に表示する。なお、利用者が、入力装置を用いてジャンルおよびこれで特定される情報で想定可能な経過内容を条件設定部４０に適宜設定してもよい。
利用者が、設定用画面に表示されている複数のジャンルのうちから、入力装置を用いて所望のジャンルを選択すると、その選択情報は、条件設定部４０からデータ取得部４１０およびテキスト解析部４１１に出力される。図２の例では、利用者がジャンル“天気”を選択している。
【００２６】
次に、条件設定部４０は、情報の提示対象を選択させる設定用画面を表示装置に表示させる。例えば、データ提示部５がインストルメントパネル画像を表示する表示装置である場合、図２に示すように、インストルメントパネル画像に表示する速度計、回転計、燃料計、水温計、・・・を提示対象候補として設定用画面に表示する。
利用者が、設定用画面に表示された複数の提示対象候補のうちから、入力装置を用いて所望の提示対象候補を選択すると、この選択情報は、条件設定部４０からデータ取得部４１０および情報提示制御部４１２に出力される。図２では、利用者が提示対象候補“速度計”を選択している。
【００２７】
続いて、条件設定部４０は、選択されたジャンルに関する情報をさらに詳細に特定するための情報の入力を受け付ける。ジャンル“天気”が選択されている場合であれば、条件設定部４０が、天気を知りたい場所を特定するための設定用画面を表示装置に表示する。
例えば、図２に示すように、場所の大分類となる都道府県を選択させ、さらに、場所の小分類として都道府県における市町村を選択させる。この選択情報は、条件設定部４０からデータ取得部４１０およびテキスト解析部４１１に出力される。図２の場合、利用者が天気を知りたい場所として“北海道室蘭市”が選択されている。
これにより、データ取得部４１０には、“北海道室蘭市の天気情報”が取得条件として設定される。また、テキスト解析部４１１には、データ取得部４１０に取得された情報をテキスト解析した際の判別対象として、ジャンル“天気”における経過内容（“晴れ”、“曇り”、“雨”、“雪”）が設定される。
【００２８】
なお、ジャンル“スポーツ”が選択されている場合は、例えば、スポーツの種別、試合の日時、場所、応援側のチームなどが選択項目として設定用画面に表示され、この設定用画面を参照して項目を選択することになる。
また、複数の取得条件（複数のジャンルの取得条件）をデータ取得部４１０に設定してもよく、１つのジャンルに関する情報に対して複数の詳細設定を行って１つのジャンルで複数の取得条件を設定してもよい。
【００２９】
最後に、条件設定部４０は、ジャンルで特定される情報で想定可能な経過内容とこれに対応する色の表示態様を利用者に確認させるための確認用画面を表示装置に表示する。
図２に示す例では、情報提示対象が“速度計”で提示情報が天気情報である場合の初期設定（デフォルト）として、天気情報で想定される経過内容である“晴れ”、“曇り”、“雨”、“雪”について、表示色“赤”、“灰色”、“青”、“白”がそれぞれ対応付けられている。すなわち、“晴れ”の場合は“赤”、“曇り”の場合は“灰色”、“雨”の場合は“青”、“雪”の場合は“白”であることを確認用画面に表示して、利用者に情報内容と色の表示態様との対応関係を確認させる。
【００３０】
なお、条件設定部４０は、上述した確認用画面を表示装置に表示した状態で、入力装置を用いた情報内容と色の表示態様との対応関係の設定入力を受け付けてもよい。
例えば、提示情報が天気情報である場合、“晴れ”に対応する表示色を“黄色”に変更するなど、利用者が認識しやすい対応関係を設定することが考えられる。
情報内容と色の表示態様との対応関係の設定情報は、条件設定部４０から情報提示制御部４１２に出力される。これにより、情報提示制御部４１２は、入力した設定情報を、情報内容と色の表示態様との対応関係を示すテーブルデータに新たに登録する。
【００３１】
次に動作について説明する。
図３は、実施の形態１に係る情報提示装置の動作を示すフローチャートであって、取得条件に合う情報を取得して提示するまでの処理を示している。なお、上述の取得条件は、情報提示装置１に設定されているものとする。
まず、車両の運転前に、利用者が、入力装置を用いて取得条件に合う情報の提示モードを情報提示装置１に設定する（ステップＳＴ１）。これにより、情報提示装置１は、取得条件に合う情報の探索を開始する。
【００３２】
データ取得部４１０は、データ放送部３４が保持するデータ放送データの中から、取得条件に合うデータ放送データを検索する。
取得条件に合うデータ放送データがない場合（ステップＳＴ２；ＮＯ）、データ取得部４１０は、通信部６を介して、インターネットなどに接続する外部サイトにアクセスして上記取得条件を検索キーとして情報を検索する。
ここで、取得条件に合う情報がインターネットにない場合（ステップＳＴ３；ＮＯ）、ステップＳＴ６の処理に移行する。
【００３３】
取得条件に合うデータ放送データがある場合（ステップＳＴ２；ＹＥＳ）、あるいは、取得条件に合う情報がインターネットにある場合（ステップＳＴ３；ＹＥＳ）、データ取得部４１０は、取得条件に合う情報を取得する（ステップＳＴ４）。データ取得部４１０に取得された情報はテキスト解析部４１１に出力される。
【００３４】
テキスト解析部４１１は、データ取得部４１０に取得された情報をテキスト解析して、解析結果の情報内容が、この取得条件に合う情報で想定される経過内容のいずれであるかを判別する（ステップＳＴ５）。例えば、データ放送データをテキスト解析して、北海道室蘭市の天気が晴れであることが記述されていた場合は、“北海道室蘭市の天気情報”の内容が、想定した経過内容のうちの“晴れ”であると判別される。テキスト解析部４１１による解析結果は、情報提示制御部４１２に出力される。
【００３５】
情報提示制御部４１２には、条件設定部４０によって設定入力が受け付けられる情報のジャンルごとに、想定される情報内容とこれに対応する色の表示態様とが関連付けられたテーブルデータが登録されている。
情報提示制御部４１２は、このテーブルデータを参照してテキスト解析部４１１により判別された内容に対応する色の表示態様を決定し、この表示態様となるようにデータ提示部５による色の表示を制御する。
【００３６】
データ提示部５は、情報提示制御部４１２の制御によって、データ取得部４１０に取得された情報の内容に応じた表示態様で色の表示を行う（ステップＳＴ６）。
図２の場合、情報の提示対象が“速度計”であり、“北海道室蘭市の天気情報”の内容が、想定した経過内容のうちの“晴れ”であるので、インストルメントパネル画像の速度計が赤色で表示される。運転者は、文字を読むことなく赤色の速度計を視認することで、北海道室蘭市の天気が晴れであると瞬時に認識することができる。
【００３７】
なお、データ提示部５における色の表示は、取得条件に合う情報が次に取得されるまで行ってもよいが、利用者が十分に情報の内容を認識できる所定の時間（例えば、数十秒）であってもよい。このようにすることで、情報の内容を音声で伝える場合に比べて格段に利用者の認識率を高めることができる。
すなわち、車両の運転中は、走行音や車外の騒音によって利用者が音を聞き取りづらくなっている。また、この発明では、情報の内容が判別されたタイミングで提示するため、音声出力する場合、利用者にとっては、何の前触れもなく音声が出力されることになる。このため、利用者が情報の内容を聞き逃す可能性が高い。
聞き逃しを防ぐため、同一の内容の音声出力を繰り返すことも考えられるが、利用者が鬱陶しさを感じる処理であることは否めない。
そこで、利用者が十分に情報の内容を認識できる所定の時間分だけデータ提示部５で色の表示を行う。
【００３８】
図４は、実施の形態１における情報提示の一例を示す図であり、情報の提示対象がインストルメントパネル画像の計器類である場合を示している。すなわち、ダッシュボードに搭載された表示装置がデータ提示部５であり、その情報表示画面５Ａに速度計５ａ、回転計５ｂ、燃料計５ｃ、水温計５ｄが表示されている。
【００３９】
図４における速度計５ａ、回転計５ｂ、燃料計５ｃおよび水温計５ｄのそれぞれに別のジャンルの情報を提示するよう設定してもよい。例えば、速度計５ａには“北海道室蘭市の天気情報”、回転計５ｂには“○○杯の日本対ブラジル戦の勝敗情報”、燃料計５ｃには“今日の牡羊座の運勢”、水温計５ｄには“銘柄△△の株価の前日比”の内容に応じて計器の背景色を変更する。
【００４０】
なお、計器類の色は、情報の内容を連想しやすい表示色であることが好ましい。
例えば、天気が晴れであれば太陽を連想する赤色、天気が雨であれば雨水を連想する青色、天気が曇りであれば雲を連想する灰色、天気が雪であれば雪を連想する白色が考えられる。
【００４１】
また、１つのジャンルの情報の経過内容を速度計５ａ、回転計５ｂ、燃料計５ｃおよび水温計５ｄに色表示してもよい。
例えば、提示すべき情報が“銘柄△△の株価の前日比”である場合には、図４において左側に記載した計器類を株価が前日よりも下がった場合の情報提示に使用し、右側に記載した計器類を株価が前日よりも上がった場合の情報提示に使用する。前日より下げた場合の色を青色、前日よりも上げた場合の色を赤色として、下げ幅が５％以上の場合を燃料計５ｃに表示し、下げ幅が５％未満である場合を速度計５ａに表示する。上げ幅が５％未満の場合を回転計５ｂに表示し、上げ幅が５％以上である場合を水温計５ｄに表示する。
【００４２】
図５は、実施の形態１における情報提示の別の例を示す図であり、運転席から視認可能な位置、例えばダッシュボード中央部に配置された表示装置に色表示を行う場合を示している。図５（ａ）に示すように、上記表示装置の情報表示画面５Ｂの一部である情報提示領域５ｅに、データ取得部４１０が取得した情報の内容に対応する色を表示する。利用者は、情報表示画面５Ｂにおける情報提示領域５ｅの色が変化したことを視認すると、この色に対応する情報の内容を瞬時に認識することができる。
【００４３】
また、運転者が視認し易くなるように、図５（ｂ）に示すように、情報表示画面５Ｂの全面、すなわち全背景領域を情報提示領域５ｆとし、データ取得部４１０が取得した情報の内容に応じた色で情報提示領域５ｆを表示する。
このように情報提示領域５ｆとして全背景領域の色を制御することで、利用者における提示内容の視認性を向上させることができる。
【００４４】
さらに、運転席からの視認性を考慮して、図５（ｃ）に示すように、情報表示画面５Ｂの運転者側の半画面領域（半背景領域）を情報提示領域５ｇとし、データ取得部４１０が取得した情報の内容に応じた色で情報提示領域５ｇを表示する。
このように運転席側の半画面を情報提示領域５ｇとして色を表示することで、運転者の視認性を向上させることができる。
【００４５】
なお、データ提示部５が表示装置である場合を示したが、車内の運転席から視認可能な位置に配置されたＬＥＤであってもよい。この場合、情報提示のためにダッシュボード上に設けたＬＥＤであってもよいが、車内のルームランプを利用してもよい。
情報の提示は、情報提示制御部４１２がＬＥＤの発光色の点灯パターンを制御する。
このようにすることでも、上記と同様の効果が得られる。
【００４６】
以上のように、この実施の形態１によれば、取得条件に合う情報を外部から取得するデータ取得部４１０と、取得条件の入力を受け付けてデータ取得部４１０に設定する条件設定部４０と、データ取得部４１０により取得された情報を解析してあらかじめ想定した内容のいずれであるかを判別するテキスト解析部４１１と、想定される情報内容とこれに対応する色の表示態様とが関連付けられたテーブルデータを参照して、テキスト解析部４１１により判別された内容に対応する色の表示態様を決定し、この表示態様となるように提示部による色の表示を制御する情報提示制御部４１２を備える。
このように構成することで、取得条件に合う情報が自動で取得され、その内容に応じて自動で提示されることから、情報を提示するために複雑な操作が不要である。
さらに、情報の内容に応じて色の表示態様を制御することにより、利用者が情報内容を感覚的に認識することが可能である。
【００４７】
また、この実施の形態１によれば、データ提示部５が車内の運転席から画面が視認可能な位置に配置された表示装置であり、情報提示制御部４１２が、この表示装置による色の表示を制御する。このようにすることで、運転者が、この表示装置における色の表示態様から内容を感覚的に認識可能であり、情報の内容を認識するために運転が疎かになることがない。
【００４８】
さらに、この実施の形態１によれば、データ提示部５を構成する表示装置がインストルメントパネル画像を表示する表示装置であり、情報提示制御部４１２が、インストルメントパネル画像における計器類の色を制御する。
このようにすることで、運転者が計器類の色から情報の内容を感覚的に認識することができ、さらに運転者の視線方向をずらす必要がないため、運転に注力することができる。
【００４９】
さらに、この実施の形態１によれば、情報提示制御部４１２が、データ提示部５を構成する表示装置の背景画面の一部または全面の色を制御する。
このようにすることで、運転者が、この表示装置における色の表示態様から情報内容を感覚的に認識可能であり、情報の内容を認識するために運転が疎かになることがない。
【００５０】
さらに、この実施の形態１によれば、データ取得部４１０が、データ放送、ラジオ放送、交通情報およびインターネット配信のうちの少なくとも一つから情報を取得するので、利用者が所望する取得条件に応じた情報を的確に取得することができる。
【００５１】
さらに、この実施の形態１によれば、データ提示部５が、車内の運転席から視認可能な位置に配置されたＬＥＤ（発光素子）であり、情報提示制御部４１２がＬＥＤによる発光色の点灯パターンを制御する。このようにすることでも、上記と同様の効果を得ることができる。
【００５２】
実施の形態２．
図６は、この発明の実施の形態２に係る情報提示装置の構成を示すブロック図である。図６において、情報提示装置１Ａは、移動体（例えば、車両）に搭載されて、地デジ放送のデータ放送を受信してその内容を提示する情報提示装置であり、アンテナ２、放送受信部３、演算処理部４Ａおよび通信部６を備えて構成される。また、データ提示部５には、ナビゲーション装置７の表示装置を利用する。
なお、ナビゲーション装置７は、演算処理部４Ａと適宜接続することができるものであれば、車両に備え付けられたナビゲーション装置であってもよいし、携帯端末として車内に持ち込まれたナビゲーション装置であってもよい。
【００５３】
演算処理部４Ａは、ナビゲーション装置７と接続しており、情報提示をナビゲーション装置７と協働して行う。
条件設定部４０Ａは、取得条件の入力を受け付けてデータ取得部４１０に設定する設定部であり、実施の形態１と同様に、入力装置（不図示）を用いた利用者からの設定入力を受け付ける他、ナビゲーション装置７からも取得条件を入力する。
例えば、取得条件が“目的地の駐車場の空き情報”である場合、条件設定部４０Ａは、ナビゲーション装置７から目的地の情報を入力して取得条件を生成しデータ取得部４１０に設定する。
【００５４】
次に動作について説明する。
図７は、実施の形態２に係る情報提示装置の動作を示すフローチャートであって、取得条件に合う情報を取得して提示するまでの処理を示している。なお、取得条件は“目的地の駐車場の空き情報”であり、既に情報提示装置１Ａに設定されているものとする。
まず、車両の運転前に、利用者が、入力装置を用いて取得条件に合う情報の提示モードを情報提示装置１Ａに設定する（ステップＳＴ１ａ）。これにより、情報提示装置１Ａのデータ取得部４１０は、目的地における駐車場の空き情報の探索を開始する。
【００５５】
まず、データ取得部４１０は、データ放送部３４が保持するデータ放送データの中から目的地の駐車場の空き情報に相当するデータ放送データを検索する。
目的地の駐車場の空き情報に相当するデータ放送データがない場合（ステップＳＴ２ａ；ＮＯ）、データ取得部４１０は、通信部６を介して、インターネットなどに接続する外部サイトにアクセスして目的地の駐車場の空き情報を検索する。
ここで、目的地の駐車場の空き情報がインターネットにない場合（ステップＳＴ３ａ；ＮＯ）、データ取得部４１０は、その旨を情報提示制御部４１２に通知する。
情報提示制御部４１２は、その通知を受けると提示すべき情報がないと判断し、データ提示部５を制御しない。従って、データ提示部５における色表示が変更されない（ステップＳＴ４ａ）。
【００５６】
目的地の駐車場の空き情報に相当するデータ放送データがある場合（ステップＳＴ２ａ；ＹＥＳ）、あるいは、目的地の駐車場の空き情報がインターネットにある場合（ステップＳＴ３ａ；ＹＥＳ）、データ取得部４１０は、目的地の駐車場の空き情報を取得する（ステップＳＴ５ａ）。データ取得部４１０に取得された情報は、テキスト解析部４１１に出力される。
【００５７】
テキスト解析部４１１は、データ取得部４１０に取得された情報をテキスト解析して、解析結果の情報内容が、目的地の駐車場（あらかじめ設定したもの）の空き情報で想定される経過内容（空きがあるか否か）のいずれであるかを判別する（ステップＳＴ６ａ）。
例えば、インターネット（ＳＮＳ、つぶやきサイト）から得られた情報をテキスト解析して、目的地の“東京□□ランド”の駐車場が空いていることが記述されていた場合は、“東京□□ランドの駐車場の空き情報”の内容が、想定した経過内容のうちの“空き”であると判別される。また、満車であることが記述されていれば、“東京□□ランドの駐車場の空き情報”の内容が“満車” であると判別される。
テキスト解析部４１１による解析結果は、情報提示制御部４１２に出力される。
【００５８】
情報提示制御部４１２は、目的地の駐車場の空き情報における想定される経過内容と、これに対応する色の表示態様とが関連付けられたテーブルデータを参照し、テキスト解析部４１１により判別された内容に対応する色の表示態様を決定する。例えば、経過内容が“空き”である場合は“青色”、“満車”である場合は“赤色”とする。
【００５９】
目的地の駐車場に空きがある場合（ステップＳＴ６ａ；ＹＥＳ）、データ提示部５は、情報提示制御部４１２の制御によって、情報の提示対象を青色で表示する（ステップＳＴ７ａ）。また、目的地の駐車場が満車である場合（ステップＳＴ６ａ；ＮＯ）には、情報の提示対象が赤色で表示される（ステップＳＴ８ａ）。
例えば、情報の提示対象が“速度計”で“東京□□ランドの駐車場の空き情報”の内容が想定される経過内容のうちの“空き”であれば、インストルメントパネル画像の速度計が青色で表示される。反対に“満車”であれば、速度計が赤色で表示される。
運転者は、文字を読むことなく、赤色の速度計を視認することで、車両で現在向かっている東京□□ランドの駐車場が満車であると瞬時に認識することができる。
【００６０】
図８は、実施の形態２における情報提示の一例を示す図であり、ナビゲーション装置７のナビゲーション画面を情報提示画面５Ｂとして利用する場合を示している。また、図８の例では、情報の提示対象としてナビゲーション画面の自車マークが設定されている。
駐車場の空き情報は、一般的に時間経過に伴って変化するが、この発明に係る情報提示装置１Ａは、データ取得部４１０が定期的に空き情報を取得することで、現在の状況に近い空き情報を利用者に提示することができる。
【００６１】
例えば、図８（ａ）に示す時点では、自車マーク５ｈが赤色となっており、目的地の駐車場が満車であることが提示されている。
一方、図８（ｂ）は図８（ａ）より時間が経過した場合を示しており、この時点では、自車マーク５ｈが青色となり、目的地の駐車場に空きがあることが提示されている。
運転者は、ナビゲーション画面における自車マーク５ｈの色を視認することで、目的地の駐車場の空き状況を瞬時に認識することができる。
【００６２】
以上のように、この実施の形態２によれば、データ提示部５が、車内に持ち込みまたは搭載したナビゲーション装置７の表示装置であり、情報提示制御部４１２が、この表示装置に表示されているナビゲーション画面を構成する画像の色を制御する。
このようにすることで、実施の形態１と同様に、運転者が、この表示装置における色の表示態様から情報内容を感覚的に認識可能であり、情報内容を認識するために運転が疎かになることがない。
【００６３】
また、この実施の形態２によれば、データ取得部４１０が、天気情報、試合の勝敗情報および駐車場の空き情報のうちの少なくとも一つを取得するので、様々な経過内容を想定可能な情報を利用者に提示することができる。
【００６４】
実施の形態３．
図９は、この発明の実施の形態３に係る情報提示システムの概要を示す図である。図９に示す情報提示システムは、車載器１００が、携帯端末１０１、サーバ１０２と連携して取得条件に合う情報の内容を提示する。以下、この情報提示システムの構成態様について説明する。
【００６５】
まず、サーバ１０２と連携して車載器１００が情報を提示する表示装置として機能する場合について説明する。
この構成においては、車載器１００がサーバ１０２と直接通信するか、あるいは、携帯端末１０１を介して車載器１００がサーバ１０２と通信する場合が考えられる。
サーバ１０２は、上述した通信を行う通信部の他に、上記実施の形態１で示したデータ取得部４１０、テキスト解析部４１１および情報提示制御部４１２を備えている。
また、車載器１００は、サーバ１０２と通信を行う通信部、条件設定部４０およびデータ提示部５を備えて構成される表示装置である。
この場合、サーバ１０２が、車載器１００の条件設定部４０によって取得条件が設定され、想定される情報内容とこれに対応する色の表示態様とが関連付けられたテーブルデータを参照して、テキスト解析により判別された内容に対応する色の表示態様を決定する。
そして、サーバ１０２が、通信部を介して、この表示態様となるように車載器１００による色の表示を制御する。
【００６６】
次に、携帯端末１０１と連携して、車載器１００が情報を提示する表示装置として機能する場合について説明する。
この構成においては、車載器１００が、携帯端末１０１と通信する場合が考えられる。
車載器１００は、携帯端末１０１と通信を行う通信部、条件設定部４０、およびデータ提示部５を備えて構成される表示装置である。
携帯端末１０１は、車載器１００と通信を行う通信部、データ取得部４１０、テキスト解析部４１１および情報提示制御部４１２を備えている。
この場合、携帯端末１０１が、車載器１００の条件設定部４０によって取得条件が設定され、想定される情報内容とこれに対応する色の表示態様とが関連付けられたテーブルデータを参照し、テキスト解析により判別された内容に対応する色の表示態様を決定する。
そして、携帯端末１０１が、通信部を介して、この表示態様となるように車載器１００による色の表示を制御する。
【００６７】
以上のように、この実施の形態３によれば、サーバ１０２において、データ取得部４１０により取得された情報を解析してあらかじめ想定した内容のいずれであるかを判別するテキスト解析部４１１と、想定される情報内容とこれに対応する色の表示態様とが関連付けられたテーブルデータを参照して、テキスト解析部４１１により判別された内容に対応する色の表示態様を決定し、この表示態様となるように車載器１００による色の表示を制御する情報提示制御部４１２とを備える。
このようにすることで、取得条件に合う情報が自動で取得され、その情報内容に応じて自動で提示されることから、情報の提示に複雑な操作が不要である。さらに、情報内容に応じて色の表示態様を変更することで、利用者が情報内容を感覚的に認識することが可能である。
【００６８】
また、この実施の形態３によれば、携帯端末１０１が実行する情報提示方法として、条件設定部４０が、取得条件の入力を受け付けるステップと、データ取得部４１０が、条件設定部４１０により設定された取得条件に合う情報を外部から取得するステップと、テキスト解析部４１１が、データ取得部４１０により取得された情報を解析して、あらかじめ想定した内容のいずれであるかを判別するステップと、情報提示制御部４１２が、想定される情報内容とこれに対応する色の表示態様とが関連付けられたテーブルデータを参照して、テキスト解析部４１１により判別された内容に対応する色の表示態様を決定し、この表示態様となるように車載器１００による色の表示を制御するステップとを備える。
このようにすることでも、上記と同様の効果を得ることができる。
【００６９】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００７０】
１，１Ａ  情報提示装置、２  アンテナ、３  放送受信部、４，４Ａ  演算処理部、５  データ提示部、５Ａ，５Ｂ  情報表示画面、５ａ  速度計、５ｂ  回転計、５ｃ  燃料計、５ｄ  水温計、５ｅ，５ｆ，５ｇ  情報提示領域、５ｈ  自車マーク、６  通信部、７  ナビゲーション装置、３０  フロントエンド部、３１  ＭＰＥＧデコード部、３２  音声データ部、３３  映像データ部、３４  データ放送部、４０，４０Ａ  条件設定部、４１  データ解析部、１００  車載器、１０１  携帯端末、１０２  サーバ、４１０  データ取得部、４１１  テキスト解析部、４１２  情報提示制御部。
【図１】
2015018305.tif 000003
【図２】
2015018305.tif 000004
【図３】
2015018305.tif 000005
【図４】
2015018305.tif 000006
【図５】
2015018305.tif 000007
【図６】
2015018305.tif 000008
【図７】
2015018305.tif 000009
【図８】
2015018305.tif 000010
【図９】
2015018305.tif 000011